(57)【要約】【課題】組み付け作業性の良好なシリンダ錠の提供を目的とする。【解決手段】ケース１内に挿入されるプラグ２の終端に連結され、プラグ２への回転操作力をプラグ２の回転中心に対して芯ずれ位置にある施解錠被操作部３に伝達可能な連結軸４と、  前記プラグ２と連結軸４、またはケース１と連結軸４とを連結して連結軸４を拘束し、連結軸４のプラグ２に対する傾斜姿勢を規制するとともに、所定の解除力が負荷された際に連結軸４を拘束解除する傾斜姿勢規制部材５とを有する。【選択図】  図４
2012241462.tif 000002
【特許請求の範囲】
【請求項１】
ケース内に挿入されるプラグの終端に連結され、プラグへの回転操作力をプラグの回転中心に対して芯ずれ位置にある施解錠被操作部に伝達可能な連結軸と、
前記プラグと連結軸、またはケースと連結軸とを連結して連結軸を拘束し、連結軸のプラグに対する傾斜姿勢を規制するとともに、所定の解除力が負荷された際に連結軸を拘束解除する傾斜姿勢規制部材とを有するシリンダ錠。
【請求項２】
前記傾斜姿勢規制部材は、プラグを回転操作したときに発生する力を拘束解除力として連結軸を拘束解除する請求項１記載のシリンダ錠。
【請求項３】
前記傾斜姿勢規制部材は、拘束解除力の負荷により破断して連結軸の拘束を解除する請求項１または２記載のシリンダ錠。
【請求項４】
前記傾斜姿勢規制部材は、連結軸の拘束解除状態において、プラグ、ケース、または連結軸への連結状態が保持される請求項１、２または３記載のシリンダ錠。
【請求項５】
前記傾斜姿勢規制部材による連結軸の傾斜角、および傾斜方向が多段階に変更可能な請求項１、２、３または４記載のシリンダ錠。
【請求項６】
前記傾斜姿勢規制部材は、球状体を連結子で連結したボールチェーンにより形成される請求項５記載のシリンダ錠。
【発明の詳細な説明】
【技術分野】
【０００１】
本発明は、シリンダ錠に関するものである。
【背景技術】
【０００２】
ケーブル装置等を経由することなく、プラグへの操作力を直接施解錠対象装置に伝達するシリンダ錠としては、特許文献１に記載のものが知られている。
【０００３】
この従来例において、プラグの後端にはレバーが連結され、施解錠対象装置の施解錠被操作部に連結される。プラグの回転中心に対して施解錠被操作部が芯ずれ位置にあっても連結可能なように、レバーはプラグに対して傾動自在であり、さらに、施解錠被操作部への連結時にレバーが自重によって屈曲しないように、レバーとプラグとの連結部位にはクッションが介装される。
【先行技術文献】
【特許文献】
【０００４】
【特許文献１】特開２００２-１８８３３１号公報
【発明の概要】
【発明が解決しようとする課題】
【０００５】
しかし、上述した従来例において、レバーはクッションの作用によりプラグの回転中心上に位置しているために、プラグの回転中心と施解錠操作部との間に芯ずれがある場合、シリンダ錠全体を傾けてレバーを施解錠被操作部に連結させる必要があるために、組み付け作業性がきわめて悪いという問題がある。
【０００６】
本発明は、以上の欠点を解消すべくなされたものであって、組み付け作業性の良好なシリンダ錠の提供を目的とする。
【課題を解決するための手段】
【０００７】
本発明によれば上記目的は、
ケース１内に挿入されるプラグ２の終端に連結され、プラグ２への回転操作力をプラグ２の回転中心に対して芯ずれ位置にある施解錠被操作部３に伝達可能な連結軸４と、
前記プラグ２と連結軸４、またはケース１と連結軸４とを連結して連結軸４を拘束し、連結軸４のプラグ２に対する傾斜姿勢を規制するとともに、所定の解除力が負荷された際に連結軸４を拘束解除する傾斜姿勢規制部材５とを有するシリンダ錠を提供することにより達成される。
【０００８】
本発明において、プラグ２の終端に連結される連結軸４は、傾斜姿勢規制部材５に拘束されてプラグ２回転中心に対する傾斜姿勢が保持されるために、予めプラグ２の回転中心に対する連結軸４の傾き方向、傾き角を施解錠被操作部３の芯ずれ方向、芯ずれ角度に合わせて保持しておくことが可能になる。この結果、シリンダ錠の装着作業に際し、施解錠被操作部３の芯ずれ状態を考慮することなくシリンダ錠を所定の装着作業線に沿って移動させるだけで連結軸４を施解錠被操作部３に対応させることが可能になり、組み付け作業性が向上する。
【０００９】
また、傾斜姿勢規制部材５は所定の解除操作力が負荷された際には拘束解除状態に移行し、以後シリンダ錠の操作に支障を来すことがない。
【００１０】
傾斜姿勢規制部材５の連結軸４に対する拘束解除操作力は、シリンダ錠を装着する際の施解錠被操作部３との干渉による反力を利用したり、あるいはシリンダ錠を装着した状態で操作可能な適宜の解除操作手段を設けることに付与することが可能であるが、プラグ２への回転操作力を利用するように構成すると、別途の構成が不要となるために、構造が簡単になる。
【００１１】
このようなシリンダ錠は、
前記傾斜姿勢規制部材５は、プラグ２を回転操作したときに発生する力を拘束解除力として連結軸４を拘束解除するように構成することができる。
【００１２】
この場合、傾斜姿勢規制部材５が連結軸４とケース１とを連結する構成においては、プラグ２への回転操作に伴う連結軸４とケース１との変位が解除操作力として利用され、傾斜姿勢規制部材５が連結軸４とプラグ２とを連結する場合には、連結軸４の先端が施解錠被操作部３に連結された状態においてプラグ２を回転させた際の連結点間の間隔の伸縮が拘束解除に利用される。
【００１３】
傾斜姿勢規制部材５の連結は、着脱自在な係止手段を利用する以外に、容易に着脱できない係止手段、あるいはねじ等の固定手段を利用することが可能であり、着脱自在な係止手段等が利用される場合、係止位置における係止解除動作により拘束側解除が行われる。これに対し、容易に着脱できない係止手段等が連結手段として利用される場合には、傾斜姿勢規制部材５を破壊して拘束解除が行われる。
【００１４】
このようなシリンダ錠は、
前記傾斜姿勢規制部材５は、拘束解除力の負荷により破断して連結軸４の拘束を解除するようにして構成することが可能であり、必要に応じ、傾斜姿勢規制部材５には破断ガイド８が設けられる。
【００１５】
傾斜姿勢規制部材５は連結軸４を施解錠被操作部３に導いた後の拘束解除状態においてシリンダ錠から離脱させることも可能であるが、シリンダ錠への連結状態を保持するように構成すると、離脱した傾斜姿勢規制部材５による他の部品との干渉等を防止することができる。
【００１６】
傾斜姿勢規制部材５による連結軸４の傾斜姿勢は、シリンダ錠に対する施解錠被操作部３の芯ずれ方向、芯ずれ間隔がほぼ一定している場合には、予め所定の角度に設定しておけば足りるが、
前記傾斜姿勢規制部材５による連結軸４の傾斜角、および傾斜方向が多段階に変更可能なシリンダ錠を構成すると、汎用性を向上させることができる。
【００１７】
この場合、前記傾斜姿勢規制部材５は、球状体６を連結子７で連結したボールチェーンにより形成することができる。
【発明の効果】
【００１８】
本発明によれば、施解錠被操作部が芯ずれ位置にあっても、連結軸を予めその方向に向けておくことができるために、組み付け作業性を向上させることができる。
【図面の簡単な説明】
【００１９】
【図１】本発明を示す図で、（ａ）は一部を切断して示す側面図、（ｂ）は連結軸の連結部を示す断面図である。
【図２】連結軸を示す図で、（ａ）は正面図、（ｂ）は（ａ）の２Ａ方向矢視図、（ｃ）は（ａ）の２Ｃ-２Ｃ断面図である。
【図３】連結プレートを示す図で、（ａ）は正面図、（ｂ）は傾斜姿勢規制部材を示す図である。
【図４】シリンダ錠の動作を示す図で、（ａ）は傾斜姿勢規制部材を装着した状態を示す図、（ｂ）は（ａ）の４Ｂ方向矢視図、（ｃ）は拘束解除状態を示す図である。
【図５】本発明の他の実施の形態を示す図で、（ａ）は連結プレートを示す図、（ｂ）は（ａ）の５Ｂ線断面図、（ｃ）は傾斜姿勢規制部材を示す図、（ｄ）は拘束解除状態を示す図である。
【発明を実施するための形態】
【００２０】
図１に示すように、シリンダ錠は、ケース１内に挿入されるプラグ２と、プラグ２の後端に連結される連結軸４とを有する。プラグ２は適数のタンブラ２ａを備え、図外の真正な解錠キーを挿入した場合にのみケース１に対する回転操作が可能になる。
【００２１】
プラグ２は後端部に球状膨隆部９を備え、該球状膨隆部９に連結軸４が連結される。この実施の形態において球状膨隆部９はプラグ２の後端に別部材をピン１０により連結して形成されているが、プラグ２の後端に一体に形成することも可能であり、この場合、後述する連結プレート１１のプラグ挿通孔１１ａは、球状膨隆部９が挿通可能な大きさに形成される。
【００２２】
一方、連結軸４は前端にプラグ連結部１２を有するとともに、後端に操作部１３を有しており、図４に示すように、プラグ２の回転中心に対してほぼ平行な回転中心周りに回転する施解錠被操作部３に操作部１３を係止させることによってプラグ２への回転操作力を施解錠被操作部３を介して図外の施解錠対象に伝達し、施解錠操作が行われる。操作部１３は図４に示すように、芯ずれ方向のずれを吸収するために球形に形成されるとともに、施解錠被操作部３との回転方向の連結のための突部１３ａを備える。
【００２３】
プラグ連結部１２は、連結フランジ１２ａと、上記プラグ２の球状膨隆部９が嵌合可能なプラグ嵌合凹部１２ｂとを有し、連結軸４とプラグ２とは、プラグ嵌合凹部１２ｂ内に球状膨隆部９を嵌合させた後、連結ピン１４を装着して相互に連結される。連結軸４のプラグ嵌合凹部１２ｂは、球状膨隆部９の作動を円滑にするために、内周壁が球状膨隆部９の曲率にほぼ一致する曲率の球面により形成され、さらに、プラグ嵌合凹部１２ｂの開口近傍には、連結ピン１４が圧入されるピン装着孔１２ｃが設けられる。
【００２４】
また、連結フランジ１２ａの外周縁には等間隔で切欠状の規制部材連結部１２ｄが形成される。
【００２５】
図１に示すように、球状膨隆部９には中心部が円形で、外周に近付くにつれて前後方向、すなわち、プラグ２の軸長方向寸法が漸次長くなる長円形状となるピンガイド孔９ａが開設される。球状膨隆部９に連結した状態で連結軸４は、図１（ａ）における矢印Ａ方向、および図１（ｂ）における矢印Ｂ方向に回転自在であり、施解錠被操作部３が芯ずれ位置にあってもプラグ２の回転力を施解錠被操作部３に伝達することができる。
【００２６】
さらに、上記プラグ２の後端部には連結プレート１１が装着される。図３に示すように、連結プレート１１は、中心部にプラグ２を挿入するためのプラグ挿通孔１１ａを有するとともに、外周縁に所定間隔で形成される規制部材連結部１１ｂに傾斜姿勢規制部材５が連結される。この連結プレート１１のプラグ挿通孔１１ａにはプラグ２側に設けられる図外の回り止め突部に嵌合するキー受け部１１ｃが設けられる。
【００２７】
図３（ｂ）は傾斜姿勢規制部材５を示すもので、ボールチェーンの一端に装着部１５を形成して構成される。ボールチェーンは、図３（ｂ）に一例を示すように、中空状の球状体６を連結子７により連結して形成され、球状体６に開設される連結子７の挿通孔と連結子７との間隙を利用して図３（ｂ）のＣ方向に屈曲することができる。
【００２８】
装着部１５は嵌合軸１５ａの表裏に抜け止めフランジ１５ｂを設けて連結子７の終端に一体成形され、嵌合軸１５ａを連結プレート１１の規制部材連結部１１ｂに圧入して連結プレート１１に連結される。圧入操作により装着部１５を連結することができるように、規制部材連結部１１ｂは、嵌合軸１５ａが嵌合可能な円形孔を外周縁に開放させた切欠状に形成され、圧入後の嵌合軸１５ａの離脱を防止するために、開口部はやや幅狭に形成される。
【００２９】
以上のように構成されるシリンダ錠は、図４に示すように、ボールチェーン（傾斜姿勢規制部材５）を連結軸４の規制部材連結部１２ｄに連結した状態で所定の装着位置に装着される。上述したように、解錠キーを挿入しない状態でプラグ２のケース１に対する回転位置は固定されているために、ボールチェーン５の適宜箇所を連結軸４の適宜の規制部材連結部１２ｄに連結することにより、連結軸４のプラグ２に対する傾斜角度、傾斜方向を決定することができる。
【００３０】
ボールチェーン５の連結は、連結子７を規制部材連結部１２ｄに嵌合させて行われ、規制部材連結部１２ｄは連結子７の直径とほぼ同一の径寸法に形成される。
【００３１】
ボールチェーン５による連結軸４の傾斜角度、傾斜方向の設定は、シリンダ錠を装着方向に移動させた際に連結軸４の操作部１３がプラグ２の回転中心に対して芯ずれ位置にある施解錠被操作部３の回転中心上に位置するように設定され、シリンダ錠を装着方向（この実施の形態においてはシリンダ錠の長手方向）に移動させるだけで連結軸４の操作部１３を施解錠被操作部３に係止させることができる。
【００３２】
以上のようにしてシリンダ錠を所定の取付位置に固定した後、真正な解錠キーを使用してプラグ２を回転させると、連結プレート１１の規制部材連結部１１ｂと連結軸４の規制部材連結部１２ｄとの間の間隔が広がるために、ボールチェーン５には引張荷重が発生する。図３（ｂ）に示すように、ボールチェーン５の連結子７にはＶノッチ状の破断ガイド８が形成されており、引張荷重が所定値に達すると、図４（ｃ）に示すように、ボールチェーン５は破断ガイド８から破断して連結軸４の拘束を解除する。
【００３３】
また、ボールチェーン５は、破断した後、一方が連結プレート１１に、他方が連結軸４に連結されて、シリンダ錠に保持される。
【００３４】
なお、以上において破断ガイド８は各連結子７に形成される場合が示されているが、装着部１５に連結される連結子７にのみ設けて破断位置を特定することもできる。
【００３５】
図５に本発明の他の実施の形態を示す。この実施の形態において、連結軸４側の規制部材連結部１２ｄは、やや外開きのＵ字状をなす切欠として形成されるとともに、ボールチェーン５は破断ガイド８が設けられないものが使用される。
【００３６】
また、連結軸４側の規制部材連結部１２ｄの裏面側周縁には、図５（ｂ）に示すように、テーパ面１２ｅが形成されており、ボールチェーン５により連結軸４を拘束した状態で球状体６はテーパ面１２ｅに当接し、あるいは正対する。
【００３７】
シリンダ錠を装着した状態でプラグ２を回転操作すると、規制部材連結部１１ｂ、１２ｄ間の間隔が大きくなって、ボールチェーン５の球状体６がテーパ面１２ｅに押し付けられる。この結果、球状体６には規制部材連結部１２ｄから離脱する方向の分力が発生し、やがて図５（ｄ）に示すように、球状体６が規制部材連結部１２ｄから離脱して連結軸４の拘束が解除される。
【符号の説明】
【００３８】
１        ケース
２        プラグ
３        施解錠被操作部
４        連結軸
５        傾斜姿勢規制部材
６        球状体
７        連結子
【図１】
2012241462.tif 000003
【図２】
2012241462.tif 000004
【図３】
2012241462.tif 000005
【図４】
2012241462.tif 000006
【図５】
2012241462.tif 000007